(57)【特許請求の範囲】
【請求項１】
第１の波長範囲の第１の光線を透過させ、前記第１の波長範囲外の第１の反射光線を反射させて、入射光を前記第１の光線と前記第１の反射光線に分割させる第１のフィルターと、
前記第１の光線を受け、第１の画像信号を生成する第１のイメージセンサと、
第２の波長範囲の第２の光線を透過させ、前記第２の波長範囲外の第２の反射光線を反射させて、前記第１の反射光線を前記第２の光線と前記第２の反射光線に分割させる第２のフィルターと、
前記第２の光線を受け、第２の画像信号を生成する第２のイメージセンサと、
前記第２の反射光線を受け、第３の画像信号を生成する第３のイメージセンサと、を含む撮像装置。
【請求項２】
前記第１、第２、第３の画像信号に応じて、画像データを生成する処理モジュールを更に含む請求項１に記載の撮像装置。
【請求項３】
前記第１のイメージセンサは、アレイに配列された複数の第１の検出ユニットを含み、前記第１の検出ユニットは、前記第１の光線に応じて複数の第１の画素信号をそれぞれ生成する請求項１に記載の撮像装置。
【請求項４】
前記第１のイメージセンサに出射された前記第１の光線は、第１の光線領域を形成し、方形領域が前記第１の光線領域内に定義され、前記第１の画像信号は、前記方形領域に完全に配置された前記第１の検出ユニットによって生成された前記第１の画素信号によって形成され、前記方形領域内の全ての前記第１の検出ユニットのフルスケール偏差は、５０％以上である請求項３に記載の撮像装置。
【請求項５】
前記第１の画素信号に応じて画像データ生成する処理モジュールを更に含み、
前記第１の画素信号は、前記第１のイメージセンサの前記第１の検出ユニットの全てに応じて前記処理モジュールによって順次に生成され、
前記第１のイメージセンサに出射された前記第１の光線は、第１の光線領域を形成し、前記第１の光線領域は、前記第１の検出ユニットの全てをカバーし、
前記第１の検出ユニットのフルスケール偏差（ＦＳＤ）の全ては、５０％以上である請求項３に記載の撮像装置。
【請求項６】
前記第１のフィルターは、第１の支持素子および前記第１の支持素子上に重なる第１の多層コーティングを含み、前記第１の多層コーティングは、前記第１の光線を透過させて、前記第１の波長範囲外の前記第１の反射光線を反射させ、前記第２のフィルターは、第２の支持素子および前記第２の支持素子上に重なる第２の多層コーティングを含み、前記第２の多層コーティングは、前記第２の光線を透過させて、前記第２の波長範囲外の前記第２の反射光
線を反射させる請求項１に記載の撮像装置。
【請求項７】
前記第１の反射光線を前記第２のフィルターに反射させる第１の反射素子および前記第２の反射光を前記第３のイメージセンサに反射させる第２の反射素子を更に含む請求項１に記載の撮像装置。
【請求項８】
前記第２および第３のイメージセンサに出射する前記第１の光線を防止し、第１のイメージセンサに出射する前記第２の光線を防止する第１の遮蔽素子と、
前記第３のイメージセンサに出射する前記第２の光線を防止し、前記第１と第２のイメージセンサに出射する前記第２の反射光線を防止する第２の遮蔽素子と、を更に含む請求項１に記載の撮像装置。
【請求項９】
第１の波長範囲の第１の光線を透過させ、前記第１の波長範囲外の第１の反射光線を反射させて、入射光を前記第１の光線と前記第１の反射光線に分割させる第１のフィルターと、
前記第１の光線を受け、第１の画像信号を生成する第１のイメージセンサと、
前記第１の反射光線を受け、第２の画像信号を生成する第２のイメージセンサと、を含む撮像装置。
【請求項１０】
前記第１の反射光線から第２の波長範囲の第２の光線を透過させる第２のフィルターと、
前記第１と第２画像信号に応じて、画像データを生成する処理モジュールと、を更に含み、
前記第２のイメージセンサは、前記第１の反射光線から分割され、前記第２のフィルターを通過する前記第２の光線を受け、前記第２のフィルターを通過する請求項９に記載の撮像装置。
【発明の詳細な説明】
【技術分野】
【０００１】
本発明は、撮像装置に関し、特に、複数のイメージセンサを含む撮像装置に関するものである。
【背景技術】
【０００２】
一般的に、撮像装置は、１つのイメージセンサのみを有している。図１に示されるように、従来のイメージセンサ１００は、例えばモザイクパターンなど、アレイに配列された複数の検出ユニット１０１、１０２、および１０３を含む。検出ユニット１０１、１０２、および１０３はその上に照射された光線に応じて画素信号を生成する。この場合、検出ユニット１０１の画素信号は、赤色画素信号として示され、検出ユニット１０２の画素信号は、緑色画素信号として示され、検出ユニット１０３の画素信号は、青色画素信号として示される。
【０００３】
処理モジュール（図１に未図示）は、赤色、緑色、および青色信号に応じて画像データを生成する。しかしながら、例えば、２つの隣接する検出ユニット１０１は、検出ユニット１０２と１０３によって分離され、２つの隣接する検出ユニット１０１間の赤色情報が欠ける。よって、処理モジュールは、画像データの各画素の欠けた情報を補償する必要がある。処理モジュールによって行われる補償は、画像データの画像品質を低減し、例えば画像データ上にエイリアシング（ａｌｉａｓｉｎｇ）などのいくつかの問題を生じる。
【発明の概要】
【発明が解決しようとする課題】
【０００４】
複数のイメージセンサを含む撮像装置を提供する。
【課題を解決するための手段】
【０００５】
従来の問題を解決するために、本発明は、画像データの各画素のより多くの色情報を得る撮像装置を提供する。
【０００６】
本発明は、第１のフィルター、第１のイメージセンサ、第２のフィルター、第２のイメージセンサと、第３のイメージセンサを含む撮像装置を提供する。第１のフィルターは、第１の波長範囲の第１の光線を透過させ、第１の波長範囲外の第１の反射光線を反射させる。入射光は、第１の光線と第１の反射光線に分割される。第１のイメージセンサは、第１の光線を受け、第１の画像信号を生成する。
【０００７】
第２のフィルターは、第２の波長範囲の第２の光線を透過させ、第２の波長範囲外の第２の反射光線を反射させる。第１の反射光は、第２の光線と第２の反射光線に分割される。第２のイメージセンサは、第２の光線を受け、第２の画像信号を生成する。第３のイメージセンサは、第２の反射光を受け、第３の画像信号を生成する。
【０００８】
本発明は、第１のフィルター、第１のイメージセンサ、および第３のイメージセンサを含む撮像装置を提供する。第１のフィルターは、第１の波長範囲の第１の光線を透過させ、第１の波長範囲外の第１の反射光線を反射させる。入射光は、第１の光線と第１の反射光線に分割される。第１のイメージセンサは、第１の光線を受け、第１の画像信号を生成する。第２のイメージセンサは、第１の反射光を受け、第２の画像信号を生成する。
【０００９】
よって、撮像装置は、複数のイメージセンサを用いて各原色をそれぞれ得る。よって、画像データの各画素は、十分な情報を含み、画像データの画像品質が改善される。
【図面の簡単な説明】
【００１０】
【図１】従来のイメージセンサの概略図である。
【図２】本発明の第１の実施形態に基づく撮像装置の概略図である。
【図３】本発明の第２の実施形態に基づく撮像装置のシステム図である。
【図４】本発明の第１の実施形態に基づく第１のイメージセンサの上面図である。
【図５】本発明の第１の実施形態に基づく第２のイメージセンサの上面図である。
【図６】本発明の第１の実施形態に基づく第３のイメージセンサの上面図である。
【図７】本発明の第２の実施形態に基づく撮像装置の概略図である。
【図８】本発明の第３の実施形態に基づく撮像装置の概略図である。
【図９】本発明の第３の実施形態に基づく撮像装置のシステム図である。
【発明を実施するための形態】
【００１１】
添付の図面とともに以下の本発明の様々な実施形態の詳細な説明を検討することで、本発明はより完全に理解できる。図２は、本発明の第１の実施形態に基づく撮像装置１の概略図である。撮像装置１は、撮影機能を有する電子装置（例えばカメラ、携帯電話、またはコンピュータなど）、またはカメラ、携帯電話、またはコンピュータなどの電子装置に配置された撮像機能を有する撮像モジュールであることができる。
【００１２】
撮像装置１は、ハウジング１０、レンズアセンブリ２０、フィルタアセンブリ３０、複数のイメージセンサ４０、および複数の反射素子５０を含む。ハウジング１０は、開口１１を有し、レンズアセンブリ２０は、開口１１に配置される。フィルタアセンブリ３０、複数のイメージセンサ４０、および複数の反射素子５０は、ハウジング１０に固定されるかまたはハウジング１０内の他の物体に固定される。
【００１３】
実施形態では、レンズアセンブリ２０は、図１に示されたレンズ２１を含む。入射光Ｌ１は、レンズ２１を通過してハウジング１０内に入る。しかしながら、一般的に、レンズアセンブリ２０は、光学用の複数のレンズを含む。
【００１４】
フィルタアセンブリ３０は、第１のフィルター３１と第２のフィルター３２を含む。第１のフィルター３１は、第１の支持素子３１１および第１の支持素子３１１上に重なる第１の多層コーティング３１２を含む。第１の支持素子３１１は透明であり、第１の支持素子３１１は、例えばガラスを含むことができる。
【００１５】
第１の多層コーティング３１２は、第１の波長範囲の第１の光線Ｌ２を透過させ、第１の波長範囲外の第１の反射光線Ｌ３を反射させる。実施形態では、第１の範囲は、約６１０ｎｍ〜６５０ｎｍである。即ち、第１の多層コーティング３１２を通過する第１の光線Ｌ２は、赤色光である。
【００１６】
第２のフィルター３２は、第２の支持素子３２１および第２の支持素子３２１上に重なる第２の多層コーティング３２２を含む。第２の支持素子３２１は透明であり、第２の支持素子３２１は、例えばガラスを含むことができる。
【００１７】
第２の多層コーティング３２２は、第２の波長範囲の第２の光線Ｌ４を透過させ、第２の波長範囲外の第２の反射光線Ｌ５を反射させる。実施形態では、第２の範囲は、約５４０ｎｍ〜５６０ｎｍである。即ち、第２の多層コーティング３２２を通過する第２の光線Ｌ４は、緑色光であり、第２の多層コーティング３２２によって反射された第２の反射光Ｌ５は、青色光である。
【００１８】
イメージセンサ４０は、同一の構造を有することができ、カラーフィルターを含まないことができる。イメージセンサは、第１のイメージセンサ４０ａ、第２のイメージセンサ４０ｂ、および第３のイメージセンサ４０ｃを含む。第１のイメージセンサ４０ａは、第１のフィルター３１を通過する第１の光線Ｌ２を受けて、第１の画像信号を生成し、第２のイメージセンサ４０ｂは、第２のフィルター３２を通過する第２の光線Ｌ４を受けて、第２の画像信号を生成し、且つ第３のイメージセンサ４０ｃは、第２のフィルター３２によって反射された第２の反射光Ｌ５を受けて、第３の画像信号を生成する。
【００１９】
各イメージセンサ４０は、複数の検出ユニット４１と検出ユニット４１に配置された複数のマイクロレンズ４２を含む。検出ユニット４１は、アレイに配列され（図４〜図６に示されるように）、マイクロレンズ４２は、検出ユニット４１に対応してアレイに配列される。マイクロレンズ４２を通過する第２の光線Ｌ４は、検出ユニットに放射させられる。
【００２０】
反射素子５０は、同一の構造を有することができる。反射素子５０は、第１の反射素子５０ａと第２の反射素子５０ｂを含む。各反射素子５０は、基板５１および基板５１上に重なる反射コーティング５２を含む。反射コーティング５２は、反射光用の金属を含むことができる。第１の反射素子５０ａは、第１のフィルター３１によって反射された第１の反射光Ｌ３を第２のフィルター３２に反射する。第２の反射素子５０ｂは、第２のフィルター３２によって反射された第２の反射光Ｌ５を第３のイメージセンサ４０ｃに反射する。特に、反射素子５０は、光線の方向を変えるのに用いられるため、反射素子５０は、フィルター３０とイメージセンサ４０の位置を変更することによって省くことができる。
【００２１】
実施形態では、第１のフィルター３１、第２のフィルター３２、第１の反射素子５０ａ、および第２の反射素子５０ｂは、ほぼ互いに平行している。第１のフィルター３１は、第１のイメージセンサ４０ａに対応して傾斜され、第２のフィルター３２は、第２のイメージセンサ４０ｂに対応して傾斜される。
【００２２】
第１のイメージセンサ４０ａ、第２のイメージセンサ４０ｂ、および第３のイメージセンサ４０ｃは、互いに平行する。実施形態では、第１のイメージセンサ４０ａ、第２のイメージセンサ４０ｂ、および第３のイメージセンサ４０ｃは、平面Ｐ１に沿って配列される。しかしながら、フィルタアセンブリ３０、イメージセンサ４０、および反射素子５０の配列は、限定されない。
【００２３】
実施形態では、入射光Ｌ１は、レンズ２１を通過してハウジング１０内に入り、レンズ２１を通過した入射光Ｌ１は、第１のフィルター３１に出射する。
【００２４】
入射光Ｌ１が第１のフィルター３１に出射した後、第１の光線Ｌ２は、第１のフィルター３１を通過し、第１のイメージセンサ４０ａに出射する。第１のフィルター３１によって反射された第１の反射光Ｌ３は、第１の反射素子５０ａに出射する。第１の反射素子５０ａによって反射された第１の反射光Ｌ３は、第２のフィルター３２に出射する。第２の光線Ｌ４は、第２のフィルター３２を通過し、第２のイメージセンサ４０ｂに出射する。第２のフィルター３２によって反射された第２の反射光Ｌ５は、第２の反射素子５０ｂに出射する。第２の反射素子５０ｂによって反射された第２の反射光Ｌ５は、第３のイメージセンサ４０ｃに出射する。
【００２５】
図３は、本発明の第２の実施形態に基づく撮像装置１のシステム図である。図４は、本発明の第１の実施形態に基づく第１のイメージセンサ４０ａの上面図である。図５は、本発明の第１の実施形態に基づく第２のイメージセンサ４０ｂの上面図である。図６は、本発明の第１の実施形態に基づく第３のイメージセンサ４０ｃの上面図である。撮像装置１は、第１、第２、第３の画像信号に応じて、画像データ（画像（ｉｍａｇｅ）または映像（ｐｉｃｔｕｒｅ））を生成する処理モジュール６０を更に含む。
【００２６】
図４〜図６に示されるように、実施形態では、各第１の検出ユニット４１ａはその上に照射された光線に応じて第１の画素信号を生成し、第１の画素信号は、第１の画像信号を形成する。各第２の検出ユニット４１ｂはその上に照射された光線に応じて第２の画素信号を生成し、第２の画素信号は、第２の画像信号を形成する。各第３の検出ユニット４１ｃはその上に照射された光線に応じて第３の画素信号を生成し、第３の画素信号は、第３の画像信号を形成する。
【００２７】
検出ユニット４１ａ、４２ｂ、４１ｃの数は同じまたは異なってもよい。この実施形態では、検出ユニット４１ａ、４２ｂ、４１ｃの数は同じである。
【００２８】
この実施形態では、第１のイメージセンサ４０ａは、赤色光で出射されるため、第１の画素信号は、赤色画素信号として定義される。第２のイメージセンサ４０ｂは、緑色光で出射されるため、第２の画素信号は、緑色画素信号として定義される。第２のイメージセンサ４０ｂは、青色光で出射されるため、第３の画素信号は、青色画素信号として定義される。即ち、第１、第２と、第３の検出ユニット４１ａ、４２ｂと、４１ｃは、例えば、赤色光、緑色光、または青色光の１つの原色をそれぞれ得る。
【００２９】
次いで、処理モジュールは、赤色、緑色、および青色画素信号に応じてカラー画像データを生成する。特に、第１、第２、第３の画素信号が示す色は、第１のフィルター３１と第２のフィルター３２に応じるため、第１、第２、第３の画素信号が示す色は、制限されない。
【００３０】
実施形態では、検出ユニット４１ａ、４２ｂ、４１ｃは、互いに近いが、他の検出ユニットによって分離されない。よって、各原色の色情報は、画像データの各画素に充分である。処理モジュール６０は、画像データに補償プロセスを行う必要がないため、画像データの画像品質は、改善され、画像データ上のエイリアシングなどのいくつかの問題がなくなる。
【００３１】
一般的に、レンズアセンブリ２０、フィルタアセンブリ３０、イメージセンサ４０、および複数の反射素子５０の位置の間に公差があるため、イメージセンサ４０に出射された光線の領域は、図４〜図６の光線領域Ｚ１、Ｚ２と、Ｚ３に示されるように異なる。よって、画像データは、直接画素信号に応じて形成され、撮像装置１は、販売される前に調整することができる。
【００３２】
よって、画像重ね合せ方法が本発明に提供される。まず、白色入射光Ｌ１がレンズアセンブリ２０に出射する。第１の光線Ｌ２は、第１のフィルター３１を通過し、第１のイメージセンサ４０ａに出射し、図４に示されるような光線領域Ｚ１を形成し、第２の光線Ｌ４は、第２のフィルター３２を通過し、第２のイメージセンサ４０ｂに出射し、図５に示されるような光線領域Ｚ２を形成し、第２の光線Ｌ５は、第２のフィルター３２を通過し、第３のイメージセンサ４０ｃに出射し、図６に示されるような光線領域Ｚ３を形成する。
【００３３】
光線領域Ｚ１、Ｚ２と、Ｚ３は、イメージセンサ４０の領域よりそれぞれ小さく、イメージセンサ４０内に配置される。方形領域Ａ１は、光線領域Ｚ１内に規定され、方形領域Ａ１の４つの角は、光線領域Ｚ１の周縁に隣接する。方形領域Ａ２は、光線領域Ｚ２内に規定され、方形領域Ａ２の４つの角は、光線領域Ｚ２の周縁に隣接する。方形領域Ａ３は、光線領域Ｚ３内に規定され、方形領域Ａ３の４つの角は、光線領域Ｚ３の周縁に隣接する。方形領域Ａ１、Ａ２、Ａ３内の全ての検出ユニット４１のフルスケール偏差（ＦＳＤ）は、５０％以上である。
【００３４】
この場合、第１の画像信号は、第１の検出ユニット４１ａによって生成された第１の画素信号によって形成され、方形領域Ａ１に完全に配置される。第２の画像信号は、第２の検出ユニット４１ｂによって生成された第２の画素信号によって形成され、方形領域Ａ２に完全に配置される。第３の画像信号は、第３の検出ユニット４１ｃによって生成された第３の画素信号によって形成され、方形領域Ａ３に完全に配置される。
【００３５】
図４〜図６に示されるように、第１の検出ユニット４１ａｌ〜４１ａｎは、方形領域Ａ１に完全に配置され、方形領域Ａ２に完全に配置された第２の検出ユニット４１ｂｌ〜４１ｂｎと、方形領域Ａ３に完全に配置された第３の検出ユニット４１ｃｌ〜４１ｃｎにそれぞれ対応する。
【００３６】
例えば、画像データの第１の画素は、第１の検出ユニット４１ａｌ、第２の検出ユニット４１ｂｌ、および第３の検出ユニット４１ｃｌに応じて、処理モジュール６０によって生成される。即ち、画像データの画素は、第１の検出ユニット４１ａｌ〜４１ａｎ、第２の検出ユニット４１ｂｌ〜４１ｂｎと、第３の検出ユニット４１ｃｌ〜４１ｃｎに応じて、処理モジュール６０によって順次に生成される。よって、画像データは、方形領域Ｚ１、Ｚ２と、Ｚ３に完全に配置された検出ユニット４１によって生成された、第１、第２、および第３画素信号に応じて、形成されることができる。
【００３７】
画像重ね合せ方法では、第１の画素に対応する検出ユニット４１も以下のステップによって決定される。まず、イメージセンサ４０上の各検出ユニット４１のフルスケール偏差は、１つずつ、且つ一行ずつ順次に検出される。検出ユニット４１の１つのフルスケール偏差が５０％以下の場合、次の検出ユニット４１が検出される。５０％以上のフルスケール偏差を有する第１の検出ユニット４１の１つ目は、第１の画素に対応して決定される。
【００３８】
図４に示されるように、第１の検出ユニット４１ａの第１行〜第３行は、順次に検出され、第１の検出ユニット４１ａの第１行〜第３行のフルスケール偏差は、５０％以下である。第４行の第４の検出ユニット４１ａｌは、５０％以上のフルスケール偏差を有するため、検出ユニット４１ａｌは、画像データの第１の画素に対応して決定される。
【００３９】
また、第１のイメージセンサ４０ａ上の画像データの第１の画素に対応する検出ユニット４１ａｌの座標も決定される。画像データの画素に対応する検出ユニット４１ａｌ〜４１ａｎは、図４の４×４マトリクスなどのマトリクスによって決定される。同じ規則に基づき、第２のイメージセンサ４０ｂ上の画像データの第１の画素に対応する検出ユニット４１ｂｌの座標が決定される。画像データの画素に対応する検出ユニット４１ｂｌ〜４１ｂｎは、図５の４×４マトリクスなどのマトリクスによって決定される。第２のイメージセンサ４０ｃ上の画像データの第１の画素に対応する検出ユニット４１ｃｌの座標が決定される。画像データの画素に対応する検出ユニット４１ｃｌ〜４１ｃｎは、図６の４×４マトリクスなどのマトリクスによって決定される。
【００４０】
もう１つの画像重ね合せ方法が本発明に提供される。まず、白色入射光Ｌ１がレンズアセンブリ２０に出射する。第１の光線Ｌ２は、第１のフィルター３１を通過し、第１のイメージセンサ４０ａに出射し、図４に示されるような光線領域Ｚ４を形成し、第２の光線Ｌ４は、第２のフィルター３２を通過し、第２のイメージセンサ４０ｂに出射し、図５に示されるような光線領域Ｚ５を形成し、第２の光線Ｌ５は、第２のフィルター３２を通過し、第３のイメージセンサ４０ｃに出射し、図６に示されるような光線領域Ｚ６を形成する。
【００４１】
また、光線領域Ｚ４は、全ての第１の検出ユニット４１ａをカバーし、光線領域Ｚ５は、全ての第２の検出ユニット４１ｂをカバーし、光線領域Ｚ６は、全ての第３の検出ユニット４１ｃをカバーする。全ての第１の検出ユニット４１ａ、第２の検出ユニット４１ｂ、および第３の検出ユニット４１ｃのフルスケール偏差（ＦＳＤ）は、５０％以上である。第１の画素信号は、全ての第１の検出ユニット４１ａに応じて処理モジュール６０によって順次に生成され、第２の画素信号は、全ての第２の検出ユニット４１ｂに応じて処理モジュール６０によって順次に生成され、第３の画素信号は、全ての第３の検出ユニット４１ｃに応じて処理モジュール６０によって順次に生成される。
【００４２】
いくつかの実施形態では、レンズアセンブリ２０、フィルタアセンブリ３０、イメージセンサ４０、および／または反射素子５０の位置を調節することによって、光線領域Ｚ４の周縁は、第１のイメージセンサ４０ａの４つの角の４つの第１の検出ユニット４１に接触し、光線領域Ｚ５の周縁は、第２のイメージセンサ４０ｂの４つの角の４つの第２の検出ユニット４１ｂに接触し、且つ光線領域Ｚ６の周縁は、第３のイメージセンサ４０ｃの４つの角の４つの第３の検出ユニット４１ｃに接触する。また、イメージセンサ４０の４つのコーナーの検出ユニット４１のフルスケール偏差（ＦＳＤ）は、５０％以上（および／または他の検出ユニット４１のフルスケール偏差の平均より低い）であり、イメージセンサ４０の４つのコーナーの検出ユニット４１のフルスケール偏差は、実質的に同じである。
【００４３】
図７は、本発明の第２の実施形態に基づく撮像装置１ａの概略図である。第２の実施形態では、第１のイメージセンサ４０ａ、第２のイメージセンサ４０ｂ、および第３のイメージセンサ４０ｃは、一体成型で形成される。撮像装置１は、ハウジング１０の開口１１に配置されたライトパイプ７０を含む。ライトパイプ７０を通過する入射光線Ｌ１は、レンズ２１に出射するため、入射光Ｌ１の光学角度は狭い。
【００４４】
撮像装置１は、ハウジング１０に配置された複数の遮蔽素子８０を更に含む。遮蔽素子８０は、イメージセンサ４０に隣接する、またはイメージセンサ４０上に配置されたプレート構造である。遮蔽素子８０は、実質的に互いに平行し、イメージセンサ４０に垂直する。
【００４５】
遮蔽素子８０ａは、第２および第３のイメージセンサ４０ｂと４０ｃに出射する第１の光線Ｌ２を防止し、第１のイメージセンサ４０ａに出射する第２の光線Ｌ４を防止する。遮蔽素子８０ｂは、第３のイメージセンサ４０ｃに出射する第２の光線Ｌ４を防止し、第１と第２のイメージセンサ４０ａと４０ｂに出射する第２の反射光線Ｌ５を防止する。
【００４６】
他の実施形態では、フィルター、イメージセンサ、および反射素子の数は、制限されない。図８は、本発明の第３の実施形態に基づく撮像装置１ｂの概略図である。撮像装置１ｂは、フィルタアセンブリ３０とイメージセンサ４０の間に配置された拡散素子９０を含む。第１の光線Ｌ２および／または第２の光線Ｌ４は、拡散素子９０を通過し、イメージセンサ４０に出射される。他のケースでは、拡散素子９０は含まれなくてもよい。
【００４７】
第１の実施形態の第３のイメージセンサ４０ｃと第２の反射素子５０ｂは、含まれない。この実施形態では、第１の光線Ｌ２は、赤色光であり、第１の光線Ｌ２の第１の範囲は、約６１０ｎｍ〜６５０ｎｍである。第２の光線Ｌ４は、青緑色であり、第２の光線Ｌ４の第２の範囲は、約５００ｎｍ〜５４０ｎｍである。
【００４８】
第１の光線Ｌ２および第２の光線Ｌ４の色は、限定されない。例えば、第１の光線Ｌ２の色は青色光であることができ、第２の光線Ｌ４の色は黄色であることができる。第１の光線Ｌ２の色は緑色であることができ、第２の光線Ｌ４の色は赤紫光であることができる。第１の光線Ｌ２の色は赤緑光であることができ、第２の光線Ｌ４の色は、赤色であることができる。第１の光線Ｌ２の色は、黄色光であることができ、第２の光線Ｌ４の色は、青色であることができる。第１の光線Ｌ２の色は、赤紫光であることができ、第２の光線Ｌ４の色は、緑色であることができる。
【００４９】
図９は、本発明の第３の実施形態に基づく撮像装置１ｂのシステム図である。処理モジュール６０は、第１と第２の画像信号に応じて画像データを生成する。
【００５０】
よって、撮像装置は、複数のイメージセンサを用いて各原色をそれぞれ得る。よって、画像データの各画素は、十分な情報を含み、画像品質が改善される。
【００５１】
本発明の特徴は、特定の実施形態に限定されるものでなく、１つ以上の本発明の実施形態に好適な方式で組み合わせ、変更、または代替されることができる。本明細書の“第１”または“第２”などの用語は、説明を明白にするためのものであり、特許請求の範囲に対応または特許請求の範囲の範囲を制限するものではない。また、“第１の特徴”と“第２の特徴”などの用語は、同一のまたは異なる特徴を示すものではない。
【００５２】
本発明は、実施例の方法及び望ましい実施の形態によって記述されているが、本発明は開示された実施形態に限定されるものではない。逆に、当業者には自明の種々の変更及び同様の配置をカバーするものである。よって、添付の特許請求の範囲の範囲は、最も広義な解釈が与えられ、全てのこのような変更及び同様の配置を含むべきである。
【符号の説明】
【００５３】
１００  イメージセンサ
１０１、１０２、１０３  検出ユニット
１、１ａ、１ｂ  撮像装置
１０  ハウジング
１１  開口
２０  レンズアセンブリ
２１  レンズ
３０  フィルタアセンブリ
３１  第１のフィルター
３１１  第１の支持素子
３１２  第１の多層コーティング
３２  第２のフィルター
３２１  第２の支持素子
３２２  第２の多層コーティング
４０  イメージセンサ
４０ａ  第１のイメージセンサ
４０ｂ  第２のイメージセンサ
４０ｃ  第３のイメージセンサ
４１  検出ユニット
４１ａ、４１ａｌ、４１ａｎ  第１の検出ユニット
４１ｂ、４１ｂｌ、４１ｂｎ  第２の検出ユニット
４１ｃ、４１ｃｌ、４１ｃｎ  第３の検出ユニット
４２  マイクロレンズ
５０  反射素子
５０ａ  第１の反射素子
５０ｂ  第２の反射素子
５１  基板
５２  反射コーティング
６０  処理モジュール
７０  ライトパイプ
８０、８０ａ、８０ｂ  遮蔽素子
９０  拡散素子
Ａ１、Ａ２、Ａ３  方形領域
Ｌ１、Ｌ２、Ｌ３、Ｌ４、Ｌ５  光線
Ｐ１  平面
Ｚ１、Ｚ２、Ｚ３、Ｚ４、Ｚ５、Ｚ６  光線領域
【図１】
0005860498.tif 000002
【図２】
0005860498.tif 000003
【図３】
0005860498.tif 000004
【図４】
0005860498.tif 000005
【図５】
0005860498.tif 000006
【図６】
0005860498.tif 000007
【図７】
0005860498.tif 000008
【図８】
0005860498.tif 000009
【図９】
0005860498.tif 000010